(57)【要約】【課題】押さえばねを不要とし、装置の高さを低減する。【解決手段】磁気ヘッドを保持する保持基板１３と、基台１０と、一方の端部が保持基板と結合し、他方の端部が基台に結合した、弾性を有する連結部材１４とから構成され、基台１０は、保持基板１３の一主面の、磁気ヘッド保持部と一端部との間の位置で当接し、保持基板を回動可能に支持する支持部Ｐｂ１，Ｐｂ２と、磁気ヘッドが所定の位置に保持されるように、保持基板の一端部の他の主面と当接する当接部Ｐｄ１，Ｐｄ２とを有し、連結部材１４の一方の端部は、基台の当接部に保持部材の一端部の他の主面が当接するように、支持部から磁気ヘッド保持部配置方向に離れた位置で前記保持基板を押圧可能に結合されている。【選択図】      図１
2004265492.tif 000002
【特許請求の範囲】
【請求項１】
磁気ヘッドを保持する保持基板と、基台と、一方の端部が該保持基板と結合し、他方の端部が該基台に結合した、弾性を有する連結部材とから構成され、
前記基台は、前記保持基板の一主面の、磁気ヘッド保持部と一端部との間の位置で当接し、前記保持基板を回動可能に支持する支持部と、前記磁気ヘッドが所定の位置に保持されるように、前記保持基板の一端部の他の主面と当接する当接部とを有し、
前記連結部材の一方の端部は、前記基台の当接部に前記保持部材の一端部の他の主面が当接するように、前記支持部から磁気ヘッド保持部配置方向に離れた位置で前記保持基板を押圧可能に結合されている磁気ヘッド支持機構。
【発明の詳細な説明】
【０００１】
【発明の属する技術分野】
本発明は磁気ヘッド支持機構に係わり、特に光磁気記録媒体等の記録媒体に情報信号で変調された磁界を印加する磁気ヘッドの支持機構に関するものである。
【０００２】
【従来の技術】
従来、光磁気記録層を有する光磁気記録媒体に対して、磁気ヘッドによって情報信号によって変調された磁界を印加すると同時に、磁界の印加部分に光ヘッドによって光ビームを照射することで情報信号の記録を行う磁界変調方式の光磁気記録装置（記録、再生が可能な光磁気記録再生装置を含む）が実用化されている。
【０００３】
図７は従来の光磁気記録装置の概略構成を示す側面図である。図中１は磁気ヘッド支持機構、２は光ヘッド、２０は磁気ヘッド支持機構１と光ヘッド２を連結する「コ」の字状の基台、３は磁気ヘッド支持機構１を駆動するための駆動部材、４は光磁気記録媒体である。またこれらの装置本体は、筐体５と、上蓋６の内側に内蔵されている。
【０００４】
光ヘッド２は光磁気記録媒体４に光ビームを照射するための対物レンズ７を備えている。また８は光磁気記録媒体４を内包するカートリッジであり、その一部には光磁気記録媒体４を露出させるための開口Ｗが設けられている。
【０００５】
磁気ヘッド支持機構１は、光磁気記録媒体４に磁界を印加する磁気ヘッド２１、磁気ヘッド２１を先端に保持する支持部材２２、および基部には支持部材２２が取り付けられ、先端は水平に磁気ヘッド２１上方に延びる保持基板２３より構成されている。磁気ヘッド支持機構１は後述する取り付け機構によって、全体が回動が可能であるように基台２０に取り付けられている。また支持部材２２は弾性を有する薄板で構成されており、保持基板２３への取り付け位置からカートリッジ８の開口Ｗに向かって下方に屈曲している。
【０００６】
支持部材２２の下方に駆動部材３が配設され、情報信号を記録する際には、駆動部材３は支持部材２２から離間し、支持部材２２の付勢力を作用させることによって磁気ヘッド２１を開口Ｗ内において光磁気記録媒体４上にロード（押圧）する。
【０００７】
情報信号の記録は行なわずに再生のみ行なう場合などには、駆動部材３は支持部材２２に当接して上方に駆動し、磁気ヘッド２１を光磁気記録媒体４上から退避（アンロード）させ、さらに保持基板２３の下面に押圧する。これにより装置に加わる振動や衝撃から磁気ヘッドを保護し、支持部材２２の変形を防止する。
【０００８】
またカートリッジ８の装置への挿入／排出動作は、図７の矢印Ａで示すように装置の上蓋６を基台２０が配置される側（図の右側）を支点として上方に回動して開いた状態で行なわれる。この時、駆動部材３は連動し支持部材２２をさらに駆動し、保持基板２３と一体的に上方に押し上げ、図７の矢印Ｂで示すように支持機構１全体を上蓋６とともに上方に回動させる。
【０００９】
カートリッジ８が挿入されて上蓋６が閉じ、情報信号の記録を行なう場合には、開口Ｗ内において、光ヘッド２は光磁気記録媒体４の下面側に配置され、磁気ヘッド２１は光ヘッド２に対向して上面側にロード（押圧）される。この時磁気ヘッド２１の磁界発生部の中心が、光ヘッド２の対物レンズ７の光軸上（光磁気記録媒体４上に形成する光スポットの位置）に位置付けられるように磁気ヘッド支持機構１と光ヘッド２の位置が調整され、基台２０によって連結されている。
【００１０】
図８に上記の磁気ヘッド支持機構１と基台２０との取り付け機構部分を拡大した図を示す。図８（ａ）は上面から見た図であり、図８（ｂ）は図８（ａ）に示した切断線Ｃにおける断面図である。磁気ヘッド支持機構１と基台２０との取り付け機構は保持基板２３と基台２０の他に、押さえばね２６、連結部材２４、補強板２５によって構成されている。図９は押さえばね２６の構成を示す図であり、また図１０は磁気ヘッド支持機構１、図１１は基台２０のそれぞれ取り付け機構部分の構成を拡大して示した図である。図９、図１０、図１１において、図９（ａ）、図１０（ａ）、図１１（ａ）は上面から見た図、図９（ｂ）、図１０（ｂ）、図１１（ｂ）は側面から見た図である。
【００１１】
図９に示すように、押さえばね２６は弾性を有する板から成り、水平部分には下方に突出させた押圧部分Ｑ１，Ｑ２，Ｑ３、および垂直方向への折り曲げ部分に係合孔Ｈｂ１，Ｈｂ２が形成されている。
【００１２】
図１０に示すように、保持基板２３には後方（基台２０に取り付けられる方向：図では右方向）に延びる２つに分岐した取り付け片Ｌ１，Ｌ２が形成されている。取り付け片Ｌ１，Ｌ２の後端には、一段低くなった段差部Ｔｂ１，Ｔｂ２が形成され、その上面には突起Ｐａ１、Ｐａ２が形成されている。
【００１３】
また保持基板２３の下面には、弾性を有する板状の連結部材２４が貼り付けられており、取り付け片Ｌ１とＬ２の間において、後方に延びている。また連結部材２４の後端の上面には、連結部材２４を補強する補強板２５が貼り付けられており、その下面は保持基板２３の突起Ｐａ１，Ｐａ２に対向する。
【００１４】
図１１に示すように、基台２０の上部には光磁気記録媒体４に略平行な取り付け面Ｓ、および側方に突出する係合部Ｐｃ１，Ｐｃ２が形成されている。また取り付け面Ｓには２つの突起Ｐｂ１、Ｐｂ２、および２つの孔Ｈａ１、Ｈａ２が形成されている。
【００１５】
次に磁気ヘッド支持機構１の基台２０への取り付け工程について説明する。まず保持基板２３を、その取り付け片Ｌ１，Ｌ２の下面が、それぞれ基台２０の突起Ｐｂ１，Ｐｂ２に当接し、図８（ａ）に示すように、取り付け片Ｌ１，Ｌ２の後端の段差部Ｔｂ１，Ｔｂ２が、基台２０の孔Ｈａ１，Ｈａ２内に陥入するように基台２０の取り付け面Ｓ上に載置した状態で保持する。
【００１６】
次に保持基板２３の上から押さえばね２６を、その係合孔Ｈｂ１、Ｈｂ２が基台２０の係合部（突起）Ｐｃ１，Ｐｃ２に係合するように取り付ける。この時図８（ａ）、（ｂ）に示すように、押さえばね２６の押圧部分Ｑ１，Ｑ２は、それぞれ取り付け片Ｌ１，Ｌ２を、基台２０の突起Ｐｂ１，Ｐｂ２の位置よりも前方において上方から押圧し、突起Ｐｂ１，Ｐｂ２への当接位置を中心として下向きに（図においては反時計回りの）モーメントを発生させる。これにより保持基板２３の取り付け片Ｌ１，Ｌ２の下面は、基台２０の突起Ｐｂ１，Ｐｂ２に押圧され、後端の突起Ｐａ１，Ｐａ２は補強板２５の下面に当接する。同時に押さえばね２６の押圧部分Ｑ３は補強板２５を上方から押圧し、連結部材２４を基台２０の取り付け面Ｓに押圧固定しているから、保持基板２３の後端の突起Ｐａ１，Ｐａ２は固定される。
【００１７】
このように、保持基板２３の取り付け片Ｌ１、Ｌ２の後端において上面の突起Ｐａ１、Ｐａ２は補強板２５の下面に当接し、その前方で下面は基台２０の突起Ｐｂ１、Ｐｂ２に当接し、さらに前方で上方から押さえばね２６で押圧されているから、外力を作用させない限り保持基板２３は回動することはなく水平な状態に保持される。
【００１８】
この状態で、保持基板２３を水平方向に駆動し、磁気ヘッド２１の磁界発生部の中心が、光ヘッド２の対物レンズ７の光軸上に位置付けられるように磁気ヘッド支持機構１と光ヘッド２の位置が調整される。この時、保持基板２３は基台２０に押圧されているだけであるから、水平方向に滑らせることによって、水平な状態を維持したまま駆動することができる。
【００１９】
位置の調整が終了すると、次に基台２０、連結部材２４、押さえばね２６の重なり合った部分を接着材を用いて固定し、取り付け工程を完了する。取り付け後は保持基板２３は水平状態に保持され、水平方向には移動できない。
【００２０】
またカートリッジ８の装置への挿入／排出動作の際には駆動部材３を駆動し、押さえばね２６による付勢力に抗して支持部材２２と保持基板２３を一体的に上方に押し上げる。これにより連結部材２４と押さえばね２６が弾性変形し、取り付け片Ｌ１，Ｌ２は基台２０から離間し、保持基板２３は図８（ｂ）において矢印Ｂのように回動し、一点鎖線で示すように前方が上昇する。
【００２１】
なお、上記の構成を開示したものとしては、特許文献１がある。
【００２２】
【特許文献１】
特開２０００−１１３６０９号公報
【００２３】
【発明が解決しようとする課題】
以上説明した磁気ヘッド支持機構１における取り付け機構は、基台２０への取り付け工程においては、接着等による最終的な固定よりも前に、保持基板２３を基台２０に仮固定し、水平状態を保持するように付勢しつつ水平面内の位置の調整を可能とし、また取り付け完了後は保持基板２３が水平状態を保持するように付勢するとともに、カートリッジ８の装置への挿入／排出動作の際には弾性変形も可能な押さえばね２６を必要としている。この押さえばね２６は、基台２０の取り付け面Ｓ上に、連結部材２４、補強板２５に重ね合わせて取り付けられる構成であるから、装置の高さが増大するという問題点がある。
【００２４】
また取り付け工程においては、作業者は磁気ヘッド支持機構１を基台２０上に載置した状態に保持しつつ押さえばね２６を取り付けるか、あるいは磁気ヘッド支持機構１を保持のための治具等に取り付けてから押さえばね２６を取り付け、作業終了後には治具から取り外すなど、作業工程が複雑化するという問題点がある。
【００２５】
【課題を解決するための手段】
本発明の磁気ヘッド支持機構は、磁気ヘッドを保持する保持基板と、基台と、一方の端部が該保持基板と結合し、他方の端部が該基台に結合した、弾性を有する連結部材とから構成され、
前記基台は、前記保持基板の一主面の、磁気ヘッド保持部と一端部との間の位置で当接し、前記保持基板を回動可能に支持する支持部と、前記磁気ヘッドが所定の位置に保持されるように、前記保持基板の一端部の他の主面と当接する当接部とを有し、
前記連結部材の一方の端部は、前記基台の当接部に前記保持部材の一端部の他の主面が当接するように、前記支持部から磁気ヘッド保持部配置方向に離れた位置で前記保持基板を押圧可能に結合されているものである。
【００２６】
例えば、本発明の構成を図１〜図３を用いてより具体的に説明すると、磁気ヘッドを保持する保持基板１３と、基台１０と、一方の端部が保持基板１３と結合し、他方の端部が基台１０に結合した、弾性を有する連結部材１４とから構成され、
基台１０は、保持基板１３の一主面（図１（ｂ）中、下面）の、磁気ヘッド保持部１２ａと一端部との間の位置で当接し、保持基板１３を回動可能に支持する支持部Ｐｂ１，Ｐｂ２と、磁気ヘッドが所定の位置に保持されるように、保持基板１３の一端部の他の主面Ｐａ１，Ｐａ２と当接する当接部Ｐｄ１，Ｐｄ２とを有し、
連結部材１４の一方の端部（図１，図２の連結部材１４の「Ｔ」字型部の頭部）は、基台１０の当接部Ｐｄ１，Ｐｄ２に保持部材１３の一端部の他の主面Ｐａ１，Ｐａ２が当接するように、支持部Ｐｂ１，Ｐｂ２から磁気ヘッド保持部配置方向に離れた位置で保持基板１３を押圧可能に結合されているものである。
【００２７】
このように、従来の装置においては連結部材を含む支持機構の本体とは別個に設けた押さえばねが担っていた機能のすべてを、本発明においては支持機構に一体化された連結部材が担うことができる。その結果押さえばねは不要となり、従来の装置における課題を解決しえるのである。
【００２８】
【発明の実施の形態】
以下、本発明による磁気ヘッド支持機構および光磁気記録装置（記録、再生が可能な光磁気記録再生装置を含む）について図面により詳細に説明する。なお光磁気記録装置の全体の概略構成および動作は図７に示した従来の装置と同様であるので、同一構成部材については同一符号を付して詳細な説明を省略し、特徴部分である磁気ヘッド支持機構についてのみ詳細に説明する。本実施形態では、図７に示した磁気ヘッド支持機構１と異なり、磁気ヘッド支持機構に基台１０を含むものとして説明を行う。
【００２９】
（第１の実施形態）
図１に本発明の第１の実施形態である磁気ヘッド支持機構の一部を拡大した図を示す。図１（ａ）は上面から見た図であり、図１（ｂ）は図１（ａ）に示した切断線Ｃにおける断面図である。磁気ヘッド支持機構は保持基板１３、連結部材１４、補強板１５、および基台１０によって構成されている。磁気ヘッド１１が支持部材１２を介して取り付けられた保持基板１３、連結部材１４は磁気ヘッド支持部品となる。図７に示すように、１２は磁気ヘッド１１を先端に保持する支持部材であり、支持部材は磁気ヘッド保持部１２ａで保持基板１３に取り付けられている。
【００３０】
図２は磁気ヘッド支持部品となる、結合された保持基板と連結部材、図３は基台１０のそれぞれ取り付け機構部分の構成を拡大して示した図であり、それぞれ図２（ａ）、図３（ａ）は上面から見た図、図２（ｂ）、図３（ｂ）は側面から見た図である。図２の磁気ヘッド支持部品が図３の基台１０に取り付けられて、図１の構成となる。
【００３１】
本実施形態の構成においては、基台１０の突起Ｐｂ１，Ｐｂ２の位置よりも前方の段差部Ｔａにおいて、上方から連結部材１４の弾性力により保持基板１３を押圧し、保持基板１３の取り付け片Ｌ１，Ｌ２の下面は、基台１０の突起Ｐｂ１，Ｐｂ２に押圧固定され、保持基板１３の後端の突起Ｐａ１，Ｐａ２は基台１０の係合部Ｐｄ１，Ｐｄ２の下面に押圧固定される。これにより保持基板１３は基台１０の取り付け面Ｓ上に水平に保持される。
【００３２】
図２に示すように、保持基板１３には一段低くなった段差部Ｔａ、段差部Ｔａから後方（基台１０に取り付けられる方向：図では右方向）に延びる２つに分岐した取り付け片Ｌ１，Ｌ２が形成されている。取り付け片Ｌ１，Ｌ２の後端には、一段低くなった段差部Ｔｂ１，Ｔｂ２が形成され、その上面には突起Ｐａ１、Ｐａ２が形成されている。段差部Ｔａ、段差部Ｔａ、段差部Ｔｂ１，Ｔｂ２が設けられていることで、保持基板１３に押出段差部が形成され、この押出段差部の下面が基台１０の突起Ｐｂ１，Ｐｂ２に当接（押圧固定）される。
【００３３】
また保持基板１３の段差部Ｔａの上面には、弾性を有する薄板から成る連結部材１４の「Ｔ」字型部の頭部が溶接等により貼り付けられており（結合されており）、その一部は取り付け片Ｌ１とＬ２の間を下方向に湾曲して後方に延びるように形成されており、基台１０への取り付け前は図２（ｂ）の一点鎖線で示した状態Ｄにある。この連結部材１４の後端の上面には、連結部材１４を補強するための補強板１５が貼り付けられ、連結部材１４と補強板１５とを貫通する位置決め孔Ｈｃ１，Ｈｃ２が形成されている。
【００３４】
図３に示すように、基台１０の上部には光磁気記録媒体４に略平行な取り付け面Ｓが形成されている。取り付け面Ｓには２つの突起Ｐｂ１、Ｐｂ２、および２つの孔Ｈａ１、Ｈａ２が形成され、さらに孔Ｈａ１，Ｈａ２の後縁から上方に向かって延びる２つの係合部Ｐｄ１，Ｐｄ２が一体的に形成されている。また取り付け面Ｓには上方に突出する２つの位置決めピンＰｅ１，Ｐｅ２が取り付けられている。
【００３５】
次に図２の磁気ヘッド支持部品を基台１０へ取り付けて磁気ヘッド支持機構を構成する工程について説明する。まず保持基板１３の連結部材１４の後端を持ち上げて弾性変形させ、図２に一点鎖線で示す状態Ｅのように上方に向かって湾曲させつつ、保持基板１３を傾けて取り付け片Ｌ１，Ｌ２の後端の段差部Ｔｂ１，Ｔｂ２を基台１０の孔Ｈａ１，Ｈａ２内、係合部Ｐｄ１，Ｐｄ２の下方に挿入する。または連結部材１４の下面を基台１０の取り付け面Ｓに押し当てて弾性変形させながら取り付け片Ｌ１，Ｌ２の後端の段差部Ｔｂ１，Ｔｂ２を基台１０の孔Ｈａ１，Ｈａ２内に挿入してもよい。
【００３６】
次に保持基板１３と連結部材１４を実線で示す水平な状態Ｆにまで戻し、図１に示すように連結部材１４と補強板１５の位置決め孔Ｈｃ１，Ｈｃ２を基台１０の位置決めピンＰｅ１，Ｐｅ２に嵌合させる。この時、連結部材１４の復元力の作用によって、その下面は基台１０の取り付け面Ｓ上に密着して付勢する。一方、取り付け片Ｌ１，Ｌ２の後端の突起Ｐａ１，Ｐａ２は、基台１０の係合部Ｐｄ１，Ｐｄ２に下面から当接する。即ち、取り付け片Ｌ１，Ｌ２および連結部材１４とで基台１０の一部を上下から挟むことによって、磁気ヘッド支持機構１はそれ自体を基台１０に対して保持することができるのである。
【００３７】
連結部材１４と補強板１５の位置決め孔Ｈｃ１，Ｈｃ２と、それに嵌合する基台１０の位置決めピンＰｅ１，Ｐｅ２との間には磁気ヘッド１１と光ヘッド２の位置の調整に必要な調整代（ピンＰｅ１，Ｐｅ２に対して位置決め孔Ｈｃ１，Ｈｃ２の大きさを位置調整可能に大きくする）が設けられており、嵌合によって図２の磁気ヘッド支持部品の基台１０に対する水平方向の粗い位置決めがなされる。また同時に図２の磁気ヘッド支持部品の基台１０からの離脱を防止する。
【００３８】
また取り付け片Ｌ１，Ｌ２の下面は、それぞれ基台１０の突起Ｐｂ１，Ｐｂ２に当接するように載置される。連結部材１４は、突起Ｐｂ１，Ｐｂ２の位置よりも前方の段差部Ｔａにおいてにおいて上方から保持基板１３を押圧し、突起Ｐｂ１，Ｐｂ２への当接位置を中心として下向きに作用する（図においては反時計回りの）モーメントを発生させる。これにより取り付け片Ｌ１，Ｌ２の下面は、基台１０の突起Ｐｂ１，Ｐｂ２に押圧固定され、後端の突起Ｐａ１，Ｐａ２は基台１０の係合部Ｐｄ１，Ｐｄ２の下面に押圧固定される。これにより保持基板１３は基台１０の取り付け面Ｓ上に水平状態を保持するように仮固定され、外力を作用させない限り回動することはない。
【００３９】
この状態で、保持基板１３を水平方向に駆動し、磁気ヘッド１１の磁界発生部の中心が、光ヘッド２の対物レンズ７の光軸上に位置付けられるように磁気ヘッド支持機構１と光ヘッド２の位置が調整される。保持基板１３は連結部材１４の付勢力によって基台１０に対して押圧されているだけであるから、水平方向に滑らせることによって、水平な状態を維持したまま調整代の範囲内で駆動することができる。
【００４０】
位置の調整が終了すると、次に基台１０と連結部材１４の重なり合った部分を接着材を用いて固定し、取り付け工程を完了する。取り付け後は保持基板１３は水平方向には移動できず、連結部材１４の付勢により水平状態に保持される。
【００４１】
情報信号を記録する際には、図７に示されるように、駆動部材３は支持部材１２から離間し、支持部材１２の付勢力を作用させることによって磁気ヘッド１１を開口Ｗ内において光磁気記録媒体４上にロード（押圧）する。
【００４２】
情報信号の記録は行なわずに再生のみ行なう場合などには、駆動部材３は支持部材１２に当接して上方に駆動し、磁気ヘッド１１を光磁気記録媒体４上から退避（アンロード）させ、さらに保持基板１３の下面に押圧する。これにより装置に加わる振動や衝撃から磁気ヘッド１１を保護し、支持部材１２の変形を防止する。
【００４３】
またカートリッジ８の装置への挿入／排出動作の際には駆動部材３を駆動し、連結部材１４による付勢力に抗して支持部材１２と保持基板１３を一体的に上方に押し上げる。これにより連結部材１４が弾性変形し、取り付け片Ｌ１，Ｌ２は基台１０から離間し、保持基板１３は図１（ｂ）において矢印Ｂのように回動し、一点鎖線で示すように前方が上昇する。
【００４４】
（第２の実施形態）
次に本発明の第２の実施形態について説明する。図４に本実施形態における磁気ヘッド支持機構の一部を拡大した図を示す。図４（ａ）は上面から見た図であり、図４（ｂ）は図４（ａ）に示した切断線Ｃにおける断面図である。磁気ヘッド支持機構は保持基板１３、連結部材１４、補強板１５、および基台１０によって構成されている。
【００４５】
図５は磁気ヘッド支持部品となる、結合された保持基板と連結部材、図６は基台１０のそれぞれ取り付け機構部分の構成を拡大して示した図であり、それぞれ図５（ａ）、図６（ａ）は上面から見た図、図５（ｂ）、図６（ｂ）は側面から見た図である。図５の磁気ヘッド支持部品が図６の基台１０に取り付けられて、図４の構成となる。
【００４６】
本実施形態の構成においては、基台１０の突起Ｐｂ１，Ｐｂ２の位置よりも前方の段差部Ｔａにおいて、上方から連結部材１４の弾性力により保持基板１３を押圧し、保持基板１３の取り付け片Ｌの下面は、基台１０の突起Ｐｂ１，Ｐｂ２に押圧固定され、保持基板１３の後端の突起Ｐａは基台１０の係合部Ｐｄの下面に押圧固定される。これにより保持基板１３は基台１０の取り付け面Ｓ上に水平に保持される。
【００４７】
図５に示すように、保持基板１３には一段低くなった段差部Ｔａ、段差部Ｔａから後方（基台１０に取り付けられる方向：図では右方向）に延びる取り付け片Ｌが形成されている。取り付け片Ｌには四角形の中抜き部Ｈｄ、および後端には、一段低くなった段差部Ｔｂが形成され、段差部Ｔｂの上面には突起Ｐａが形成されている。
【００４８】
また保持基板１３の段差部Ｔａの上面には、弾性を有する薄板から成る連結部材１４が貼り付けられており、その一部は取り付け片Ｌの中抜き部Ｈｄ内において下方向に湾曲して後方に延びるように形成されており、基台１０への取り付け前は図５（ｂ）の一点鎖線で示した状態Ｄにある。この連結部材１４の後端の上面には、連結部材１４を補強するための補強板１５が貼り付けられ、連結部材１４と補強板１５とを貫通する位置決め孔Ｈｃ１，Ｈｃ２が形成されている。
【００４９】
図６に示すように、基台１０の上部には光磁気記録媒体４に略平行な取り付け面Ｓが形成されている。取り付け面Ｓには２つの突起Ｐｂ１、Ｐｂ２、および孔Ｈａが形成され、さらに孔Ｈａの後縁から上方に向かって延びる係合部Ｐｄが一体的に形成されている。また取り付け面Ｓには上方に突出する２つの位置決めピンＰｅ１，Ｐｅ２が取り付けられている。
【００５０】
次に図５の磁気ヘッド支持部品を基台１０へ取り付けて磁気ヘッド支持機構を構成する工程について説明する。まず保持基板１３の連結部材１４の後端を持ち上げて弾性変形させ、図５に一点鎖線で示す状態Ｅのように上方に向かって湾曲させつつ、保持基板１３を傾けて取り付け片Ｌの後端の段差部Ｔｂを図６に示す基台１０の孔Ｈａ内、係合部Ｐｄの下方に挿入する。または連結部材１４の下面を基台１０の取り付け面Ｓに押し当てて弾性変形させながら取り付け片Ｌの後端の段差部Ｔｂを基台１０の孔Ｈａ内に挿入してもよい。
【００５１】
次に保持基板１３と連結部材１４を実線で示す水平な状態Ｆにまで戻し、図４に示すように連結部材１４と補強板１５の位置決め孔Ｈｃ１，Ｈｃ２を基台１０の位置決めピンＰｅ１，Ｐｅ２に嵌合させる。この時連結部材１４の復元力の作用によって、その下面は基台１０の取り付け面Ｓ上に密着して付勢する。一方、取り付け片Ｌの後端の突起Ｐａは、基台１０の係合部Ｐｄに下面から当接する。即ち、取り付け片Ｌおよび連結部材１４とで基台１０の一部を上下から挟むことによって、磁気ヘッド支持機構１はそれ自体を基台１０に対して保持することができるのである。
【００５２】
連結部材１４と補強板１５の位置決め孔Ｈｃ１，Ｈｃ２と、それに嵌合する基台１０の位置決めピンＰｅ１，Ｐｅ２の間には磁気ヘッド１１と光ヘッド２の位置の調整に必要な調整代が設けられており、嵌合によって図５の磁気ヘッド支持部品の基台１０に対する水平方向の粗い位置決めがなされる。また同時に図５の磁気ヘッド支持部品の基台１０からの離脱を防止する。
【００５３】
また取り付け片Ｌの下面は、基台１０の突起Ｐｂ１，Ｐｂ２に当接するように載置される。連結部材１４は、突起Ｐｂ１，Ｐｂ２の位置よりも前方の段差部Ｔａにおいて上方から保持基板１３を押圧し、突起Ｐｂ１，Ｐｂ２への当接位置を中心として下向きに作用する（図においては反時計回りの）モーメントを発生させる。これにより取り付け片Ｌの下面は、基台１０の突起Ｐｂ１，Ｐｂ２に押圧固定され、後端の突起Ｐａは基台１０の係合部Ｐｄの下面に押圧固定される。これにより保持基板１３は基台１０の取り付け面Ｓ上に水平状態を保持するように仮固定され、外力を作用させない限り回動することはない。
【００５４】
この状態で、保持基板１３を水平方向に駆動し、磁気ヘッド１１の磁界発生部の中心が、光ヘッド２の対物レンズ７の光軸上に位置付けられるように磁気ヘッド支持機構１と光ヘッド２の位置が調整される。保持基板１３は連結部材１４の付勢力によって基台１０に対して押圧されているだけであるから、水平方向に滑らせることによって、水平な状態を維持したまま調整代の範囲内で駆動することができる。
【００５５】
位置の調整が終了すると、次に基台１０と連結部材１４の重なり合った部分を接着材を用いて固定し、取り付け工程を完了する。取り付け後は保持基板１３は水平方向には移動できず、連結部材１４の付勢により水平状態に保持される。
【００５６】
情報信号を記録する際には、図７に示されるように、駆動部材３は支持部材１２から離間し、支持部材１２の付勢力を作用させることによって磁気ヘッド１１を開口Ｗ内において光磁気記録媒体４上にロード（押圧）する。
【００５７】
情報信号の記録は行なわずに再生のみ行なう場合などには、駆動部材３は支持部材１２に当接して上方に駆動し、磁気ヘッド１１を光磁気記録媒体４上から退避（アンロード）させ、さらに保持基板１３の下面に押圧する。これにより装置に加わる振動や衝撃から磁気ヘッド１１を保護し、支持部材１２の変形を防止する。
【００５８】
またカートリッジ８の装置への挿入／排出動作の際には駆動部材３を駆動し、連結部材１４による付勢力に抗して支持部材１２と保持基板１３を一体的に上方に押し上げる。これにより連結部材１４が弾性変形し、取り付け片Ｌは基台１０から離間し、保持基板１３は図４（ｂ）において矢印Ｂのように回動し、一点鎖線で示すように前方が上昇する。
【００５９】
なお、保持基板１３の姿勢を決定する基台１０との当接位置が４点以上である場合には、当接不良（浮き上がり）を防止し、保持基板１３の姿勢を安定化するために、各当接位置の高さが正確に一致するように製造時に厳密に管理することが求められるが、本実施形態においては、保持基板１３と基台１０との当接位置を、取り付け片Ｌの下面の２点と後端の上面の１点の合計３点としたことにより、当接位置の高さの差にかかわらず当接不良は無く、保持基板１３の姿勢を安定に保つことができる。
【００６０】
以上、第１および第２の実施形態により説明したように、本発明による磁気ヘッド支持機構には、磁気ヘッド支持部品（保持基板と連結部材）が基台１０に取り付けられた状態において、連結部材１４の弾性による付勢力を利用して基台１０の一部を挟持し、また保持基板１３を基台１０の一部に対して付勢して水平状態を保持しながら仮固定する機能、および保持基板１３を駆動することにより連結部材１４を弾性変形させて保持基板１３を上方に回動変位させる機能とが、それ自体に一体的に備わっている。従って従来の装置における押さえばねを必要とせず、磁気ヘッド支持部品の基台１０への取り付け工程における位置調整の際の保持基板１３の水平状態の保持、取り付け完了後の保持基板１３の水平状態の保持、およびカートリッジ８の装置への挿入／排出動作の際の回動とが可能である。
【００６１】
また押さえばねを不要としたことに加えて、連結部材１４を取り付け片Ｌ１，Ｌ２間、または取り付け片Ｌの中抜き部Ｈｄの内側に配設し、保持基板１３に設けた段差部Ｔａの上面に取り付けたことによって、保持基板１３の上面よりも上に突出する部材を無くすことができる。
【００６２】
以上本発明の実施形態について説明したが、本発明の好適な実施の態様は以下に説明する態様である。
【００６３】
（実施態様１）  磁気ヘッドを保持する保持基板と、基台と、一方の端部が該保持基板と結合し、他方の端部が該基台に結合した、弾性を有する連結部材とから構成され、
前記基台は、前記保持基板の一主面の、磁気ヘッド保持部と一端部との間の位置で当接し、前記保持基板を回動可能に支持する支持部と、前記磁気ヘッドが所定の位置に保持されるように、前記保持基板の一端部の他の主面と当接する当接部とを有し、
前記連結部材の一方の端部は、前記基台の当接部に前記保持部材の一端部の他の主面が当接するように、前記支持部から磁気ヘッド保持部配置方向に離れた位置で前記保持基板を押圧可能に結合されている磁気ヘッド支持機構。
【００６４】
（実施態様２）  実施態様１に記載の磁気ヘッド支持機構において、前記支持部は前記連結部材の両側に２箇所設けられ、前記当接部は１箇所設けられた磁気ヘッド支持機構。
【００６５】
（実施態様３）  実施態様１に記載の磁気ヘッド支持機構において、前記保持基板は押出段差部を有し、前記支持部は該押出段差部の前記一主面に当接している磁気ヘッド支持機構。
【００６６】
（実施態様４）  磁気ヘッドを保持する保持基板と、前記保持基板を基台に結合するための、弾性を有する連結部材とから構成され、前記保持基板と前記連結部材とが、前記連結部材の他方の端部と前記保持基板の一方の端部とで前記基台の一部を挟持できるように結合されている磁気ヘッド支持部品であって、
前記磁気ヘッド支持部品が前記基台の一部を挟持した状態で弾性による付勢力を生じさせるように、前記基台の一部の取り付け前に前記連結部材が湾曲している磁気ヘッド支持部品。
【００６７】
（実施態様５）  実施態様１〜３のいずれかに記載の磁気ヘッド支持機構の製造方法において、
前記保持部材と前記連結部材とを結合し、結合された前記保持部材と連結部材とを前記基台へ取り付ける際に、前記連結部材の弾性による付勢力を利用して前記保持部材と前記連結部材とで前記基台を挟持した状態で前記磁気ヘッドの位置調整を行なうことを特徴とする磁気ヘッド支持機構の製造方法。
【００６８】
（実施態様６）  光磁気記録媒体に対して情報信号によって変調された磁界を印加する磁気ヘッド、該磁気ヘッドを保持する実施態様１〜３のいずれかに記載の磁気ヘッド支持機構、および前記光磁気記録媒体の前記磁界の印加部分に光ビームを照射する光ヘッドを備えた光磁気記録装置。
【００６９】
【発明の効果】
以上説明したように、本発明によれば、従来の装置においては連結部材を含む支持機構の本体とは別個に設けた押さえばねが担っていた機能を、支持機構に一体化された連結部材が担うので、押さえばねは不要となり、装置の高さを低減することができる。
【００７０】
また磁気ヘッド支持機構の基台への取り付け工程においても、磁気ヘッド支持機構を保持しながら押さえばねを取り付ける複雑な作業が不要となり、作業者の負担が軽減し効率が改善できる。
【図面の簡単な説明】
【図１】本発明の第１の実施形態における磁気ヘッド支持機構の一部を拡大した図である。
【図２】本発明の第１の実施形態における磁気ヘッド支持部品となる、結合された保持基板と連結部材の構成を拡大して示した図である。
【図３】本発明の第１の実施形態における基台の取り付け機構部分の構成を拡大して示した図である。
【図４】本発明の第２の実施形態における磁気ヘッド支持機構の一部を拡大した図である。
【図５】本発明の第２の実施形態における磁気ヘッド支持部品となる、結合された保持基板と連結部材の構成を拡大して示した図である。
【図６】本発明の第２の実施形態における基台の取り付け機構部分の構成を拡大して示した図である。
【図７】光磁気記録装置の概略構成を示した図である。
【図８】従来の光磁気記録装置における磁気ヘッド支持機構の一部を拡大した図である。
【図９】従来の光磁気記録装置における押さえばねの構成を示した図である。
【図１０】従来の光磁気記録装置における磁気ヘッド支持機構の取り付け機構部分の構成を拡大して示した図である。
【図１１】従来の光磁気記録装置における基台の取り付け機構部分の構成を拡大して示した図である。
【符号の説明】
１  磁気ヘッド支持機構
２  光ヘッド
３  駆動部材
４  光磁気記録媒体
５  筐体
６  上蓋
７  対物レンズ
８  カートリッジ
１０  基台
１１  磁気ヘッド
１２  支持部材
１３  保持基板
１４  連結部材
１５  補強板
Ｗ  開口
Ｌ，Ｌ１，Ｌ２  取り付け片（保持基板）
Ｐａ，Ｐａ１，Ｐａ２  突起（保持基板）
Ｈｃ１，Ｈｃ２  位置決め孔（連結部材）
Ｓ  取り付け面（基台）
Ｐｂ１，Ｐｂ２  突起（基台）
Ｐｄ，Ｐｄ１，Ｐｄ２  係合部（基台）
Ｈａ，Ｈａ１，Ｈａ２  孔（基台）
Ｐｅ１，Ｐｅ２  位置決めピン
Ｔａ  段差部（保持基板）
Ｔｂ，Ｔｂ１，Ｔｂ２  段差部（保持基板）
Ｈｄ  中抜き部（保持基板）
【図１】
2004265492.tif 000003
【図２】
2004265492.tif 000004
【図３】
2004265492.tif 000005
【図４】
2004265492.tif 000006
【図５】
2004265492.tif 000007
【図６】
2004265492.tif 000008
【図７】
2004265492.tif 000009
【図８】
2004265492.tif 000010
【図９】
2004265492.tif 000011
【図１０】
2004265492.tif 000012
【図１１】
2004265492.tif 000013